(57)【要約】【課題】ビデオサーバーにおける再生制御方式としてこれまでは外部制御機器からRS422やLANを通して制御を行ってきたが、コンテンツデータと再生制御データを別々に容易する必要があった。【解決手段】本発明ではコンテンツデータに再生制御データも組み込み、着脱可能な記憶媒体にコンテンツデータを格納することにより、コンテンツデータ内の再生制御データを解釈することでコンテンツの再生制御を行うことができるようにした。また、記憶媒体の着脱や外部からの更新をトリガーに再生制御を変更できる手段も提供している。【選択図】図３
2010252129.tif 000002
【特許請求の範囲】
【請求項１】
記憶媒体を着脱可能な記憶媒体装着処理部と前記記憶媒体に記録されているコンテンツデータの再生情報を解釈する再生管理解釈部と前記記憶媒体からコンテンツデータを読み出し再生する再生処理部を有するビデオサーバーにおいて、
前記コンテンツデータの再生情報に従い再生リストを構築し、前記コンテンツデータを再生することを特徴とするビデオサーバー。
【請求項２】
記憶媒体を着脱可能な記憶媒体装着処理部と前記記憶媒体に記録されているコンテンツデータの再生情報を解釈する再生管理解釈部と前記記憶媒体からコンテンツデータを読み出し再生する再生処理部を有するビデオサーバーにおいて、
前記記憶媒体が着脱された場合には再生リストを更新し、前記コンテンツデータを再生することを特徴とするビデオサーバー。
【請求項３】
記憶媒体を着脱可能な記憶媒体装着処理部と前記記憶媒体に記録されているコンテンツデータの再生情報を解釈する再生管理解釈部と前記記憶媒体からコンテンツデータを読み出し再生する再生処理部とネットワーク制御部を有するビデオサーバーにおいて、
前記ネットワーク制御部を通して再生リストを変更することで、変更後の前記コンテンツデータの再生情報に従い再生リストを構築し、前記コンテンツデータを再生することを特徴とするビデオサーバー。
【発明の詳細な説明】
【技術分野】
【０００１】
本発明は、着脱可能な記憶媒体を有するビデオサーバーに関するものである。
【背景技術】
【０００２】
近年、フラッシュメモリ等の半導体記憶素子を記録メディアとして採用するビデオサーバーが実用化されてきている。このビデオサーバーに対する再生制御方式として、外部機器からＲＳ４２２からやＬＡＮを用いて制御コマンドをビデオサーバーに送信し再生制御を行うことが一般的で、着脱可能な記憶媒体を利用した再生制御方式はなかった。
本発明は以上の点を考慮してなされたものであり、着脱可能な記憶媒体に格納されたコンテンツデータを用いて再生リストを構築する方法を提案するものである。
【先行技術文献】
【特許文献】
【０００３】
【特許文献１】特開２００４−２４０８３２号公報
【発明の概要】
【発明が解決しようとする課題】
【０００４】
着脱可能な記憶媒体を利用した再生制御方式を提供するために、本発明においては、着脱可能な記憶媒体に格納されたコンテンツデータの内容に従い、再生リストを構築する方法を提供するものである。
本発明の第１の目的は、着脱可能な記憶媒体に格納されたコンテンツデータを解釈して再生リストを構築する方法を提供することにある。本発明の第２の目的は、記憶媒体着脱時に、再生リストを更新する方法を提供するものである。本発明の第３の目的は、ネットワーク制御部を通してコンテンツデータ内の再生情報を変更することで、再生リストを更新する方法を提供するものである。
【課題を解決するための手段】
【０００５】
記憶媒体を着脱可能な記憶媒体装着処理部と前記記憶媒体に記録されているコンテンツデータの再生情報を解釈する再生管理解釈部と前記記憶媒体からコンテンツデータを読み出し再生する再生処理部を有するビデオサーバーにおいて、コンテンツデータの再生情報に従い再生リストを構築することによるコンテンツデータ再生手順を設けた。
そして、コンテンツデータ再生手順は、記憶媒体が着脱された場合およびネットワークを通じてコンテンツデータ内の再生情報が更新された場合には、再生リストを更新するようにした。
【発明の効果】
【０００６】
以上説明してきたように、本発明を用いれば、外部からの制御を行うことなく、記憶媒体に格納されたクリップ再生を制御できる。
【０００７】
以上のように、本発明の第１の実施例によれば、記憶媒体内のコンテンツデータ内の再生情報に従い、クリップ再生を制御することができる。また、本発明の第２の実施例によれば、記憶媒体の着脱を行うことで、記憶媒体内のコンテンツデータ内の再生情報に従い、クリップ再生を制御することができる。さらに、本発明の第３の実施例によれば、記憶媒体内の再生情報をネットワークを通じて変更することで、記憶媒体内のコンテンツデータ内の変更後の再生情報に従い、クリップ再生手順を制御することができる。
【図面の簡単な説明】
【０００８】
【図１】実施例１及び２におけるビデオサーバーの構成図
【図２】実施例３におけるビデオサーバーの構成図
【図３】記憶媒体におけるコンテンツデータの構成図
【図４】再生リストの構成図
【図５】実施例１における再生制御手順を示すフローチャート
【図６】実施例２における再生制御手順を示すフローチャート
【図７】実施例３における再生制御手順を示すフローチャート
【発明を実施するための形態】
【０００９】
以下、本発明を実施する形態について、図面を参照しながら説明する。
【実施例１】
【００１０】
図１は、本実施例１におけるビデオサーバーの構成図である。記憶媒体装着処理部１１は、記憶媒体を格納する処理部である。再生管理解釈部１２は記憶媒体装着処理部１１に格納された記憶媒体からコンテンツデータを読み込み再生リストを作成する処理部である。再生処理部１３は再生管理解釈部１２が作成した再生リストに従い記憶媒体装着処理部１１に格納された記憶媒体から再生データを読み込む処理部である。再生バッファ１４は再生データを格納するバッファであり、ここに書かれたデータが再生される。
図３は、記憶媒体におけるコンテンツデータの格納方式を説明した図である。再生対象のクリップは再生順番、再生時間、ＩＮ点とＯＵＴ点より成る。再生順番は再生リスト内における再生順番、再生時間は再生が開始される時間である。ＩＮ点とＯＵＴ点はそれぞれくクリップ内の再生対象の再生データの実際に再生を行う区間のそれぞれ開始点と終了点である。
図４は再生リストの構成を示した説明した図である。再生リストはイベントというクリップの再生情報を示す項目からなる。再生はイベントを順番に再生することで実行される。
イベントには再生クリップ名、再生順番、再生時間、ＩＮ点、ＯＵＴ点からなる。再生時間に“即時”と書かれているイベントは前のイベントが再生終了すると直ちに再生される。再生リスト内の最初のイベントの再生時間が“即時”となっている場合には、再生リストが構築されると直ちに再生が開始される。
図３は再生手順を示すフローチャートである。再生リストＳ０２では再生管理解釈部１２が記憶媒体装着処理部１１に格納された記憶媒体内のクリップの再生情報を読み込み、再生順番を昇順に並べて再生リストを作成する。再生処理実行部Ｓ０３では、再生処理部１３が再生時間に書かれた情報を読み、再生開始条件が満足されたら直ちに再生バッファ１４に再生データ送信を開始する。再生処理部は再生リスト内の各イベントを順に読み込んで、各イベントの再生を開始できる条件が満たされたらその各イベントの再生を開始する。このようにして、記憶媒体内部のコンテンツデータに記述された情報で再生を行うため、外部からの制御は不要である。
【実施例２】
【００１１】
本実施例２を図６を用いて説明する。記憶媒体着脱を記憶媒体装着処理部１１が認識すると図６に記述された処理が開始される。本処理ではＳ０６で再生中の判断を行い、再生中であればＳ０７で再生しているイベントの終了まで待ち、再生処理実行部Ｓ０２に行く。Ｓ０６で再生中でなければ直ちに再生処理実行部Ｓ０２に行く。再生リストＳ０２では再生管理解釈部１２が記憶媒体装着処理部１１に現在格納されている記憶媒体内のクリップの再生情報を読み込み、再生順番を昇順に並べて再生リストを作成する。再生処理実行部Ｓ０３では、再生処理部１３が再生時間に書かれた情報を読み、再生開始条件が満足されたら直ちに再生バッファ１４に再生データ送信を開始する。再生処理部は再生リスト内の各イベントを順に読み込んで、各イベントの再生を開始できる条件が満たされたら再生を開始する。
【実施例３】
【００１２】
図２は、本実施例３におけるビデオサーバーの構成図である。記憶媒体装着処理部１１は、記憶媒体を格納する処理部である。再生管理解釈部１２は記憶媒体装着処理部１１に格納された記憶媒体からコンテンツデータを読み込み再生リストを作成する処理部である。再生処理部１３は再生管理解釈部１２が作成した再生リストに従い記憶媒体装着処理部１１に格納された記憶媒体から再生データを読み込む処理部である。再生バッファ１４は再生データを格納するバッファであり、ここに書かれたデータが再生される。ネットワーク制御部１５は、ネットワークからのアクセスを受けるインタフェースであり、このインタフェースを通じてネットワークに接続された機器から記憶媒体装着処理部１１に格納された記憶媒体の再生情報が書き換えられることが可能となる。
再生情報がネットワークを通じて変更された場合の制御手順を図７を用いて説明する。ネットワークからの再生情報変更を記憶媒体装着処理部１１が認識すると図７に記述された処理が開始される。本処理ではＳ０６で再生中の判断を行い、再生中であればＳ０７で再生イベント終了まで待ち、再生処理実行部Ｓ０２に行く。Ｓ０６で再生中でなければ直ちに再生処理実行部Ｓ０２に行く。再生リストＳ０２では再生管理解釈部１２が記憶媒体装着処理部１１に現在格納されている記憶媒体内のクリップの再生情報を読み込み、再生順番を昇順に並べて再生リストを作成する。再生処理実行部Ｓ０３では、再生処理部１３が再生時間に書かれた情報を読み、再生開始条件が満足されたら直ちに再生バッファ１４に再生データ送信を開始する。再生処理部は再生リスト内の各イベントを順に読み込んで、各イベントの再生を開始できる条件が満たされたら再生を開始する。
【産業上の利用可能性】
【００１３】
本発明にかかる再生リスト制御装置は、着脱可能な記憶媒体に格納されたコンテンツデータの再生情報に基づき外部制御を受けることなく自動再生を実行するとともに、記憶媒体の着脱やネットワークを通して再生情報が変更された場合には再生情報を更新して自動再生を実行することにより、放送局やケーブルテレビ局もしくはイベント会場などで自動でコンテンツ再生順序を変更することが可能になるので、コンテンツ再生制御方式として
有用である。
【符号の説明】
【００１４】
１    ビデオサーバー
１１    記憶媒体装着処理部
１２    再生管理解釈部
１３    再生処理部
１４    再生バッファ
１５    ネットワーク制御部
【図１】
2010252129.tif 000003
【図２】
2010252129.tif 000004
【図３】
2010252129.tif 000005
【図４】
2010252129.tif 000006
【図５】
2010252129.tif 000007
【図６】
2010252129.tif 000008
【図７】
2010252129.tif 000009